(57)【特許請求の範囲】
【請求項１】
レンズユニットを装着するレンズ装着盤部を水平方向（又は垂直方向）へ変位可能に支持する可動支持盤部と、前記レンズ装着盤部を水平方向（又は垂直方向）へ移動させる水平移動機構部（又は垂直移動機構部）と、前記可動支持盤部を垂直方向（又は水平方向）へ変位可能に支持する固定支持盤部と、前記可動支持盤部を垂直方向（又は水平方向）へ移動させる垂直移動機構部（又は水平移動機構部）とを備えてなるプロジェクタのレンズシフト装置において、前記固定支持盤部を、前記レンズユニット側から、プラスチック素材により形成した基体盤部と、断熱素材によりシート状に形成した断熱盤部と、伝熱性を有する金属素材を用いたプレート材をプレス成形することにより前面を開放したボックス状に構成するとともに、少なくとも側方へ突出し、かつ空冷ファンから送風が行われる送風路に臨む複数の放熱フィン部を一体形成した補強盤部とを、順次重ね合わせた三層のハイブリッド構造により一体に構成してなることを特徴とするプロジェクタのレンズシフト装置。
【請求項２】
前記補強盤部は、所定位置に、コの字形に切込みが形成され、配線を保持する配線クリップ部を有することを特徴とする請求項１記載のプロジェクタのレンズシフト装置。
【請求項３】
前記基体盤部は、前記レンズ装着盤部の少なくとも垂直方向に対する位置をロックし又はロック解除可能なシフトロック機構部を備えることを特徴とする請求項１又は２記載のプロジェクタのレンズシフト装置。
【発明の詳細な説明】
【技術分野】
【０００１】
本発明は、投射レンズ（レンズユニット）をシフトさせるためのプロジェクタのレンズシフト装置に関する。
【背景技術】
【０００２】
一般に、スクリーンに映像を投映するプロジェクタでは、スクリーンの正確な位置に映像を投映する必要があるため、プロジェクタ本体に対して投射レンズの位置を水平方向及び垂直方向へシフトさせて映像位置を調整するレンズシフト装置を搭載している。
【０００３】
従来、この種のレンズシフト装置としては、既に本出願人が提案した特許文献１で開示されるレンズシフト装置が知られている。このレンズシフト装置は、絶対精度及び相対精度を容易に高めてスムースな動き（移動）を確保するとともに、小型コンパクト化，省スペース化，軽量化及びコストダウンを図ることを目的としたものであり、投射レンズを支持するレンズ支持部を支持して水平方向又は垂直方向の一方へガイドする第一ガイド機構を有する第一支持部と、この第一支持部を支持して水平方向又は垂直方向の他方へガイドする第二ガイド機構を有する第二支持部と、レンズ支持部を移動させる第一移動部と、第一支持部を移動させる第二移動部とを有する基本構造を備えるとともに、特に、レンズ支持部と第一支持部の一部の面同士を面接触させ、レンズ支持部又は第一支持部の面接触する一方の面に第一係合ピンを起設し、かつ他方の面に第一係合ピンが係合する第一スリットを形成し、第一係合ピンに装着した第一スプリングによりレンズ支持部を第一支持部に圧接させてなる第一ガイド部を異なる複数の位置に配することにより第一ガイド機構を構成するとともに、第一支持部と第二支持部の一部の面同士を面接触させ、第一支持部又は第二支持部の面接触する一方の面に第二係合ピンを起設し、かつ他方の面に第二係合ピンが係合する第二スリットを形成し、第二係合ピンに装着した第二スプリングにより第一支持部を第二支持部に圧接させてなる第二ガイド部を、異なる複数の位置に配することにより第二ガイド機構を構成したものである。
【先行技術文献】
【特許文献】
【０００４】
【特許文献１】特開２０１０−９７０１９号公報
【発明の概要】
【発明が解決しようとする課題】
【０００５】
しかし、上述した従来におけるレンズシフト装置は、次のような解決すべき課題も存在した。
【０００６】
第一に、この種のレンズシフト装置は、重量の大きい投射レンズ（レンズユニット）の後端側をいわば片持ち支持する構成を備えるため、レンズシフト装置全体の後端側を最後部の位置で支持する固定支持盤部には、大きな荷重（モーメント）が付加される。このため、固定支持盤部は、通常、全体を金属素材を用いたダイキャストにより一体形成し、機械的な強度を確保しているが、コストアップ及び重量アップを招くとともに、寸法的な精度を確保しにくい難点があった。
【０００７】
第二に、プロジェクタの場合、発熱の大きい光源を内蔵するため、プロジェクタ全体の放熱性を如何に確保するかが重要な課題となる。特に、光源の発熱（高温）によりレンズシフト装置の構成部品が影響を受けた場合、熱伸縮によりレンズ位置やフォーカス位置に無用な変動を招く虞れがあり、レンズシフト装置の構成部品に対して熱的影響を防止する観点からは更なる改善の余地があった。
【０００８】
本発明は、このような背景技術に存在する課題を解決したプロジェクタのレンズシフト装置の提供を目的とするものである。
【課題を解決するための手段】
【０００９】
本発明は、上述した課題を解決するため、レンズユニットＬを装着するレンズ装着盤部２を水平方向Ｆｈ（又は垂直方向Ｆｖ）へ変位可能に支持する可動支持盤部３と、レンズ装着盤部２を水平方向Ｆｈ（又は垂直方向Ｆｖ）へ移動させる水平移動機構部５（又は垂直移動機構部４）と、可動支持盤部３を垂直方向Ｆｖ（又は水平方向Ｆｈ）へ変位可能に支持する固定支持盤部６と、可動支持盤部３を垂直方向Ｆｖ（又は水平方向Ｆｈ）へ移動させる垂直移動機構部４（水平移動機構部５）とを備えてなるプロジェクタＭｐのレンズシフト装置１を構成するに際して、固定支持盤部６を、レンズユニットＬ側から、プラスチック素材により形成した基体盤部６ａと、断熱素材によりシート状に形成した断熱盤部６ｂと、伝熱性を有する金属素材を用いたプレート材をプレス成形することにより前面を開放したボックス状に構成するとともに、少なくとも側方へ突出し、かつ空冷ファン５２から送風Ｆｗ…が行われる送風路に臨む複数の放熱フィン部１６ｐ…を一体形成した補強盤部６ｃとを、順次重ね合わせた三層のハイブリッド構造により一体に構成してなることを特徴とする
【００１０】
この場合、発明の好適な態様により、補強盤部６ｃには、所定位置に、コの字形に切込み形成し、配線１８を保持する配線クリップ部１７…を設けることができる。他方、基体盤部６ａには、レンズ装着盤部２の少なくとも垂直方向Ｆｖに対する位置をロックし又はロック解除可能なシフトロック機構部１９…を設けることができる。
【発明の効果】
【００１１】
このような構成を有する本発明に係るプロジェクタＭｐのレンズシフト装置１によれば、次のような顕著な効果を奏する。
【００１２】
（１）  レンズシフト装置１全体の後端側を最後部の位置で支持する固定支持盤部６に、大きな荷重（モーメント）が付加される構造であっても、固定支持盤部６を、レンズユニットＬ側から、寸法的な精度を確保しやすいプラスチック素材を用いた基体盤部６ａと、断熱素材を用いた断熱盤部６ｂと、機械的強度及び放熱性に優れた金属素材を用いた補強盤部６ｃの三層ハイブリッド構造としたため、必要十分な機械的強度を確保できるとともに、同時に、全体の軽量化，コストダウン，寸法精度の向上を実現することができ、特に、大型のプロジェクタＭｐに用いて最適となる。
【００１３】
（２）  レンズユニットＬを支持する基体盤部６ａと後端側に位置する補強盤部６ｃ間に、断熱素材によりシート状に形成した断熱盤部６ｂを介在させたサンドイッチ構造（三層ハイブリッド構造）としたため、光源による発熱（高温）は、基体盤部６ａ手前の断熱盤部６ｂにより遮断され、プラスチック素材により形成した基体盤部６ａ側への伝熱が阻止される。したがって、基体盤部６ａ上に配されるレンズシフト装置１の構成部品に対する熱影響が防止され、熱伸縮によるレンズ位置やフォーカス位置の無用な変動を回避できるとともに、調整位置の高精度化，安定性及び信頼性の向上に寄与できる。
【００１４】
（３）  補強盤部６ｃを、伝熱性を有する金属素材を用いたプレート材をプレス成形することにより前面を開放したボックス状に構成したため、本体板部の平坦性（平面性）を確保できるとともに、補強用リブ機能，放熱用伝熱機能，基体盤部６ａ及び断熱盤部６ｂに対する位置決め機能を兼用させることができる。
【００１５】
（４）  補強盤部６ｃに、少なくとも側方へ突出し、かつ空冷ファン５２から送風Ｆｗ…が行われる送風路に臨む複数の放熱フィン部１６ｐ…を一体形成したため、キャビネットＭｃ内の発熱を、金属素材の補強盤部４ｒを伝熱させて放熱フィン部１６ｐ…に至らせ、放熱フィン部１６ｐ…により放熱させることができ、全体の放熱効果をより高めることができる。
【００１６】
（５）  好適な態様により、補強盤部６ｃの所定位置に、コの字形に切込み形成し、配線１８を保持する配線クリップ部１７…を設ければ、配線１８を、邪魔にならないように規制することができる。即ち、基体盤部６ａの前面側には、複数の駆動モータをはじめ、センサやスイッチが配設されるとともに、これらの配線１８は、固定支持盤部６に設けた開孔を通して補強盤部６ｃ側に導かれるが、補強盤部６ｃ側の配線１８は、配線クリップ部１７…により補強盤部６ｃ上の所定位置に保持できるため、邪魔にならないように規制することができる。
【００１７】
（６）  好適な態様により、基体盤部６ａに、レンズ装着盤部２の少なくとも垂直方向Ｆｖに対する位置をロックし又はロック解除可能なシフトロック機構部１９…を設ければ、シフト調整を行ったレンズ位置をロックできるため、プロジェクタＭｐの大型化によりレンズユニットＬの重量が大きくなった場合であっても、長期使用或いは振動等の付加に対して、レンズ位置のズレを確実に防止できる。したがって、頻繁な再調整作業を強いられる不具合、更にはプロジェクタを天井等の高い位置や調整しにくい場所に設置した場合における無用な労力と時間が強いられる再調整作業を回避できる。
【図面の簡単な説明】
【００１８】
【図１】本発明の好適実施形態に係るレンズシフト装置の一部抽出拡大断面図を含む全体のレイアウト構成を示す断面側面図、
【図２】同レンズシフト装置の分解斜視図、
【図３】同レンズシフト装置の固定支持盤部における補強盤部の一部抽出拡大図を含む背面斜視図、
【図４】同レンズシフト装置の可動支持盤部の一部抽出拡大図を含む正面図、
【図５】同レンズシフト装置におけるシフトロック機構部のロック解除時における断面側面図、
【図６】同レンズシフト装置におけるシフトロック機構部のロック時における断面側面図、
【図７】同レンズシフト装置を備えるプロジェクタの正面から見た概要図、
【図８】同プロジェクタの平面から見た平面概要図、
【発明を実施するための形態】
【００１９】
次に、本発明に係る好適実施形態を挙げ、図面に基づき詳細に説明する。
【００２０】
まず、本実施形態に係るレンズシフト装置１の理解を容易にするため、レンズシフト装置１を備えるプロジェクタＭｐ（光学機器Ｍ）の概要について、図７及び図８を参照して説明する。
【００２１】
図７及び図８は、レンズシフト装置１を備えるプロジェクタＭｐ（光学機器Ｍ）の一例を示す。プロジェクタＭｐは、プロジェクタ本体Ｍｐｍと、このプロジェクタ本体Ｍｐｍに装着する投射レンズ（レンズユニット）Ｌを備える。例示のプロジェクタＭｐは業務用プロジェクタであり、投射レンズＬは、外径寸法が１０〔ｃｍ〕前後から１０〔ｃｍ〕を越える大型プロジェクタである。プロジェクタ本体Ｍｐｍは、キャビネットＭｃを備え、このキャビネットＭｃの内部に本実施形態に係るレンズシフト装置１を配設する。レンズシフト装置１は、投射レンズＬを支持し、垂直方向Ｆｖ及び水平方向Ｆｈへシフトさせることにより、レンズ位置に対する調整を行うことができる。なお、投射レンズＬは、キャビネットＭｃの正面パネルＭｃｆに設けたレンズ口Ｍｃｆｏから前方に突出する。
【００２２】
次に、本実施形態に係るレンズシフト装置１の構成について、図１〜図８を参照して説明する。
【００２３】
本実施形態に係るレンズシフト装置１は、図１及び図２に示すように、基本構成として、投射レンズＬを装着するレンズ装着盤部２を水平方向Ｆｈへ変位可能に支持する可動支持盤部３と、レンズ装着盤部２を水平方向Ｆｈへ移動させる水平移動機構部５と、可動支持盤部３を垂直方向Ｆｖへ変位可能に支持する固定支持盤部６と、可動支持盤部３を垂直方向Ｆｖへ移動させる垂直移動機構部４とを備える。なお、図１に示す投射レンズＬにおいて、Ｌｏはレンズ鏡筒、Ｌｏｃ…はレンズ鏡筒Ｌｏの外周面に形成した係止爪片部、Ｌｍｆはフォーカスリングを回動させるフォーカシング用駆動モータ、Ｌｍｚはズームリングを回動させるズーミング用駆動モータをそれぞれ示す。
【００２４】
以下、基本構成における各部の具体的構成について説明する。まず、固定支持盤部６は、本発明の要部を構成するものであり、図１に示すように、前側（投射レンズＬ側）から、プラスチック素材により一体形成した基体盤部６ａ，断熱素材によりシート状に形成した断熱盤部６ｂ，亜鉛メッキ鋼板等の伝熱性の高い金属素材により一体形成した補強盤部６ｃを、順次重ね合わせた三層のハイブリッド構造により構成する。
【００２５】
補強盤部６ｃは、例えば、厚さ１〜２〔ｍｍ〕程度の亜鉛メッキ鋼板等を用いたプレート材をプレス成形し、後面に位置する矩形状の本体板部１１と、この本体板部１１の四辺から前方へ直角に折曲形成した上板部１２，下板部１３，右側板部１４及び左側板部１５を設けることにより、前面を開放したボックス状に一体構成する。このようなボックス状に構成すれば、本体板部１１の平坦性（平面性）を確保できるとともに、特に、上板部１２，下板部１３，右側板部１４及び左側板部１５には、補強用リブ機能，放熱用伝熱機能，基体盤部６ａ及び断熱盤部６ｂに対する位置決め機能を兼用させることができる。
【００２６】
また、補強盤部６ｃには、図２に示すように、一体に突出形成した複数の放熱フィン部１６ｐ…、即ち、右側板部１４及び左側板部１５の前端縁から左右外方へ突出形成した複数の放熱フィン部１６ｐ…による放熱部１６を設ける。例示の放熱フィン部１６ｐ…は、右側板部１４及び左側板部１５にそれぞれ沿って折曲形成した縁片部に一定間隔毎の切込みを形成して多数の短冊片を設け、各短冊片の付根側を直角に捻り形成したものであり、これにより、前後方向への通気性を確保している。プロジェクタＭｐの場合、発熱の大きい光源を内蔵するため、プロジェクタＭｐ全体の放熱性を確保することが重要となるが、補強盤部６ｃに一体に形成した複数の放熱フィン部１６ｐ…により放熱効果を高めることができる。例えば、図７及び図８に示すように、キャビネットＭｃの内部にレンズシフト装置１を設置する際に、放熱フィン部１６ｐ…を送風路に臨ませることにより実現できる。この場合、キャビネットＭｃ内の発熱は、金属素材の補強盤部６ｃを伝熱して放熱フィン部１６ｐ…に至るとともに、キャビネットＭｃ内に配した空冷ファン５２からの送風Ｆｗ…が放熱フィン部１６ｐ…を通過し、熱交換した後、キャビネットＭｃに設けたルーバ付排気口、例えば、正面パネルＭｃｆの両側に設けたルーバ付排気口５３，５３から外部に排出される。このように、放熱フィン部１６ｐ…による放熱作用により全体の放熱効果が高められる。なお、５４，５４は送風ガイドを示す。一方、上板部１２及び下板部１３の前端縁から上下方向へ突出形成した取付片部２１…を一体形成する。
【００２７】
さらに、補強盤部６ｃの後面における一又は二以上の所定位置には、図３に示すように、コの字形に切込み形成し、配線１８を保持する一又は二以上の配線クリップ部１７…を設ける。基体盤部６ａの前面側には、垂直移動機構部４を構成する駆動モータ４１及び水平移動機構部５を構成する駆動モータ４６をはじめ、センサやスイッチが配設されるとともに、更に、投射レンズＬ側には前述した駆動モータＬｍｆ，Ｌｍｚを備え、これらに係わる配線１８は、固定支持盤部６に設けた開孔２２を通して補強盤部６ｃ側に導かれる。したがって、補強盤部６ｃの後面における一又は二以上の所定位置に、配線クリップ部１７…を設ければ、配線１８を、邪魔にならないように補強盤部６ｃ上の所定位置に規制することができる。なお、図３中、２２は、配線１８を接続した回路基板を示す。
【００２８】
断熱盤部６ｂは、断熱シート材を打ち抜いて形成する。この断熱盤部６ｂは、本体板部１１の前面に重なるように、その大きさ及び形状を選定する。なお、断熱素材は、特定の素材に限定されるものではなく、プラスチック，金属，紙，合成材等の断熱性能の良好な各種素材を利用できる。これにより、投射レンズＬを支持する基体盤部６ａと後端側に位置する補強盤部６ｃ間に、断熱素材によりシート状に形成した断熱盤部６ｂが介在するサンドイッチ構造となるため、光源による発熱（高熱）は、基体盤部６ａ手前の断熱盤部６ｂにより遮断され、プラスチック素材により形成した基体盤部６ａ側への伝熱が阻止される。したがって、基体盤部６ａ上に配されるレンズシフト装置１の構成部品に対する熱影響が防止され、熱伸縮によるレンズ位置やフォーカス位置の無用な変動を回避できるとともに、調整位置の高精度化，安定性及び信頼性の向上に寄与できる。
【００２９】
基体盤部６ａは、プラスチック素材により一体成形し、上板部１２，下板部１３，右側板部１４及び左側板部１５の内側に嵌合するように、その大きさ及び形状を選定する。そして、組付けは、補強盤部６ｃの前面に、断熱盤部６ｂ，基体盤部６ａを順次重ね、複数の固定ネジＮ…で固定することにより一体化する。この際、上板部１２，下板部１３，右側板部１４及び左側板部１５は、断熱盤部６ｂ及び基体盤部６ａに対する位置決め機能を発揮するこれにより、三層ハイブリッド構造の固定支持盤部６を得ることができる。
【００３０】
ところで、重量の大きい投射レンズＬを含むレンズシフト装置１全体の後端側を、最後部の位置で片持ち支持する固定支持盤部６には、大きな荷重（モーメント）が付加される。したがって、通常、機械的な強度を考慮して全体を金属素材を用いたダイキャストにより一体形成しているが、コストアップ及び重量アップを招くとともに、寸法的な精度を確保しにくい難点がある。しかし、本実施形態の固定支持盤部６は、投射レンズＬ側から、寸法的な精度を確保しやすいプラスチック素材を用いた基体盤部６ａと、断熱素材を用いた断熱盤部６ｂと、機械的強度及び放熱性に優れた金属素材を用いた補強盤部６ｃの三層ハイブリッド構造としたため、固定支持盤部６に対して、大きな荷重（モーメント）が付加される場合であっても、必要十分な機械的強度を確保できるとともに、同時に、全体の軽量化，コストダウン，寸法精度の向上を実現することができ、特に、大型のプロジェクタＭｐに用いて最適となる。
【００３１】
一方、レンズ装着盤部２は、アルミニウム素材等の金属素材又はプラスチック素材を用いて一体形成し、図１に示すように、レンズシフト装置１の最前部に配する。レンズ装着盤部２の前面には、レンズマウント２ｍを取付け、このレンズマウント２ｍに、前述した係止爪片部Ｌｏｃ…を介して投射レンズＬの後端を装着（着脱）することができる。
【００３２】
また、レンズ装着盤部２と固定支持盤部６間には、可動支持盤部３を配する。この可動支持盤部３は、アルミニウム素材等の金属素材又はプラスチック素材を用いて一体形成する。そして、レンズ装着盤部２と可動支持盤部３間には水平ガイド機構部９を介在させ、可動支持盤部３によりレンズ装着盤部２を水平方向Ｆｈへスライド変位可能に支持するとともに、可動支持盤部３と固定支持盤部６間には垂直ガイド機構部８を介在させ、固定支持盤部６により可動支持盤部３を垂直方向Ｆｖへスライド変位可能に支持する。
【００３３】
垂直ガイド機構部８は、図４に示すように、可動支持盤部３の四隅に配した四つの垂直ガイド部２３…の組合わせにより構成する。一つの垂直ガイド部２３（他の垂直ガイド部２３…も同じ）は、図５に示すように、固定支持盤部６の前面に係合ピン２３ｐを起設し、かつ可動支持盤部３に、係合ピン２３ｐが係合する垂直方向に長い小判形のスリット２３ｃを形成するとともに、可動支持盤部３と固定支持盤部６が相接触する面は、一部を盛上げることにより一部の面同士のみを接触させる。したがって、係合ピン２３ｐをスリット２３ｃに係合させ、さらに、係合ピン２３ｐにスプリング２３ｓを装填して可動支持盤部３を固定支持盤部６側に圧接させるようにすれば、垂直ガイド部２３の基本構造が構成される。このように、可動支持盤部３と固定支持盤部６における一部の面同士のみを接触させるようにすれば、必要部位のみが面接触し、可動支持盤部３と固定支持盤部６間の摩擦抵抗（接触抵抗）の低減化により、よりスムースな動き（移動）が確保される。
【００３４】
また、垂直ガイド部２３の具体的構造は、図５に示すように、先端側を円筒形に形成し、内周面に雌ネジ部３１を形成した係合ピン２３ｐを備えるとともに、図４及び図５に示すように、可動支持盤部３に、前面からスリット２３ｃよりも大きい相似形のガイド凹部３２を形成し、このガイド凹部３２の底にスリット２３ｃを形成する。組付け時には、係合ピン２３ｐをスリット２３ｃに挿入した後、係合ピン２３ｐの外周面に、ガイドカラー３３，規制部材３４を順次装填する。これにより、ガイドカラー３３は、係合ピン２３ｐとスリット２３ｃ間に介在し、係合ピン２３ｐのスムースなスライド変位が確保される。なお、ガイドカラー３３の一端には鍔状の規制部３３ｓを一体形成し、この規制部３３ｓをガイド凹部３２の底の面に当接させる。このような構成により、可動支持盤部３に対して、ガタ付きやフラ付きの生じにくい、より安定したガイド性能が確保される。
【００３５】
さらに、係合ピン２３ｐには、シフトロック機構部１９を付設する。シフトロック機構部１９は、一端に鍔状の規制部２５ｓを一体形成し、内周面に雌ネジ部３６を形成した筒形のロック部材２５を備えるとともに、係合ピン２３ｐの外周面には雌ネジ部３６が螺合する雄ネジ部３５を形成する。これにより、ロック部材２５の内周面は係合ピン２３ｐの外周面に螺合させることができる。また、鍔状（円板状）の規制部２５ｓには、図４及び図６に示すように、別途のロック操作治具Ａｃに対して係合する係合部２６を設ける。例示の係合部２６は、規制部２５ｓの周縁であって、１８０゜反対となる二つの位置に係合凹部２６ｓ，２６ｓを形成したものである。このように、ロック部材２５に、当該ロック部材２５を回し操作する別途のロック操作治具Ａｃに対して係合する係合部２６を設ければ、ロック操作治具Ａｃを利用してロック部材２５をより確実かつ容易に回し操作することができる。このため、図７及び図８に示すように、キャビネットＭｃの正面パネルＭｃｆには、外からロック操作治具Ａｃを挿入し、ロック部材２５を回し操作できる操作用窓部５１，５１を設けることが望ましい。なお、５１ｃ，５１ｃは操作用窓部５１，５１を開閉する窓部カバーを示し、図８中、５１ｃｓは、窓部カバー５１ｃを開けた状態を示している。
【００３６】
そして、ロック部材２５を係合ピン２３ｐに取付ける際には、ロック部材２５の外周面に、スプリング（コイルスプリング）２３ｓを装填した後、ロック部材２５の内周面（雌ネジ部３６）を係合ピン２３ｐの外周面（雄ネジ部３５）に螺合させる。また、係合ピン２３ｐの内周面（雌ネジ部３１）には固定ネジ３７を螺合する。これにより、ロック部材２５の規制部２５ｓと規制部材３４間には圧縮したスプリング２３ｓが介在するとともに、固定ネジ３７の頭部により、ロック部材２５の位置が規制される。したがって、ロック部材２５を回し操作し、当該ロック部材２５の先端部２５ｃを規制部材３４に当接させて加圧すれば、固定支持盤部６に対して可動支持盤部３が動かないようにロック（固定）することができる。このため、必要により、ロック部材２５における先端部２５ｃの前面には凹凸等を設けたり、摩擦係数の大きい部材を取付けるなどにより滑りにくくすることも可能である。なお、図５中、Ａｓは固定ネジ３７を回し操作するネジ操作治具を示す。
【００３７】
ところで、このように構成するシフトロック機構部１９は、垂直ガイド部２３を利用して取付けるが、垂直ガイド部２３の機能に対しては影響しない。即ち、ロック部材２５を回し操作してロックを行っても固定ネジ３７には影響しないため、ロック解除時に、ロック部材２５を反対方向に回し操作し、固定ネジ３７に当接する位置まで戻せば、垂直ガイド部２３におけるスプリング２３ｓによる予め設定された弾圧力（圧接力）が確保される。したがって、係合ピン２３ｐの長さを予め選定し、固定ネジ３７の頭部を係合ピン２３ｐに当接させることにより、スプリング２３ｓの圧接力を設定してもよいし、必要により固定ネジ３７を回し操作し、ロック部材２５の戻り位置を調整することにより、スプリング２３ｓの圧接力を設定してもよい。
【００３８】
このようなシフトロック機構部１９は、四つの垂直ガイド部２３…の全てに設けてもよいし、例えば、上側に配する左右二つの垂直ガイド部２３…にのみ設けてもよく、必ずしも全ての垂直ガイド部２３…に設けることを要しない。シフトロック機構部１９を設けない場合には、ロック部材２５を通常のカラー部材として形成すればよい。即ち、全体の形状はロック部材２５と同様に形成するが、雌ネジ部３６，雄ネジ部３５及び係合部２６は設けない。このように、シフトロック機構部１９に、筒形に形成することにより係合ピン２３ｐの外周面に螺合するロック部材２５を用いれば、単一部品であるロック部材２５の追加のみで実現できるため、最もシンプルな形態により容易に実施できるなど、コストダウン及び小型化を図る観点から最も望ましいパフォーマンスを得ることができる。
【００３９】
一方、水平ガイド機構部９は、図４に示すように、可動支持盤部３の四隅に配した四つの水平ガイド部３３…の組合わせにより構成する。一つの水平ガイド部３３の構成は、垂直ガイド部２３を９０゜回転させた構成と同じになる点を除き、垂直ガイド部２３と同一に構成できる。この場合、水平方向に長い小判形のスリット２３ｃは可動支持盤部３に設け、かつ係合ピン２３ｐはレンズ装着盤部２に形成するため、水平ガイド部３３の向きは、垂直ガイド部２３に対して前後反対となる。これにより、水平ガイド部３３にも前述したシフトロック機構部１９と同様のシフトロック機構を適用することができ、水平方向Ｆｈのレンズ位置もロック可能となるため、レンズ位置をより確実かつ安定に固定することができる。なお、水平ガイド部３３…には、必ずしもロック部材２５（シフトロック機構部１９）を設けることを要しない。したがって、上述した、雌ネジ部３６，雄ネジ部３５及び係合部２６は設けないロック部材２５（カラー部材）を用いればよい。
【００４０】
他方、可動支持盤部３を垂直方向Ｆｖへ移動させる垂直移動機構部４を備える。この垂直移動機構部４は、図２に示すように、駆動モータ４１及び運動変換機構４２を備える。この場合、駆動モータ４１は固定支持盤部６の前面に取付ける。運動変換機構４２は、ボールねじ機構４３及び回転伝達ギア機構４４を備え、ボールねじ機構４３のスクリュ部４３ｓは固定支持盤部６の前面に配設する。この際、スクリュ部４３ｓは、軸心を垂直方向Ｆｖに配し、固定支持盤部６の前面に設けた上下一対の軸受部により回動自在に支持する。一方、ボールねじ機構４３のナット部４３ｎは、可動支持盤部３の側辺に一体に設ける。これにより、駆動モータ４１の回転は、回転伝達ギア機構４４によりスクリュ部４３ｓに伝達され、スクリュ部４３ｓの回転により、可動支持盤部３が垂直方向Ｆｖへ移動する垂直移動機構部４が構成される。
【００４１】
また、レンズ装着盤部２を水平方向Ｆｈへ移動させる水平移動機構部５を備える。この水平移動機構部５も、レンズ装着盤部２を水平方向Ｆｈに移動させる点を除いて垂直移動機構部４と同様に構成する。図２に示す水平移動機構部５において、４６は可動支持盤部３に取付けた駆動モータ、４７は運動変換機構、４８はボールねじ機構、４８ｓは可動支持盤部３に設けたスクリュ部をそれぞれ示し、図に現れないボールねじ機構４８のナット部はレンズ装着盤部２に一体に設ける。
【００４２】
次に、このような構成を有するレンズシフト装置１の機能（動作）について、図１〜図８を参照して説明する。
【００４３】
今、プロジェクタＭｐを天井等の所定場所に設置した場合を想定する。設置が終了したなら、プロジェクタＭｐの電源をＯＮにし、前方のスクリーン（不図示）に、例えば、テスト映像を投映する。そして、本実施形態に係るレンズシフト装置１を利用して、投射レンズＬの垂直方向Ｆｖ及び水平方向Ｆｈに対するシフト調整を行う。この場合、シフト調整は、リモコン等の操作により行うことができる。なお、初期状態におけるシフトロック機構部１９のロック部材２５は、図５に示すロック解除位置、即ち、ロック部材２５の先端部２５ｃが規制部材３４から離間した位置にセットされている。
【００４４】
まず、垂直方向Ｆｖのシフト調整時には、駆動モータ４１が駆動制御され、この駆動モータ４１の回転は、回転伝達ギア機構４４を介してボールねじ機構４３のスクリュ部４３ｓに伝達される。スクリュ部４３ｓの回転により、ナット部４３ｎ、更に、このナット部４３ｎに一体の可動支持盤部３が垂直方向Ｆｖに移動（昇降）し、投射レンズＬも垂直方向Ｆｖに一体に移動する。この際、可動支持盤部３の四隅に形成した垂直方向Ｆｖのスリット２３ｃ…が、固定支持盤部６の係合ピン２３ｐ…にガイドされる。これにより、投射レンズＬに対する垂直方向Ｆｖのシフト調整を行うことができる。
【００４５】
一方、水平方向Ｆｈのシフト調整時には、駆動モータ４６が駆動制御され、レンズ装着盤部２、更には投射レンズＬが水平方向Ｆｈに移動（昇降）する。この際、レンズ装着盤部２の係合ピン２３ｐ…は、可動支持盤部３の四隅に形成した水平方向Ｆｈのスリット２３ｃ…にガイドされる。これにより、投射レンズＬに対する水平方向Ｆｈのシフト調整を行うことができる。
【００４６】
そして、レンズ位置のシフト調整が終了したなら、シフトロック機構部１９によりレンズ位置に対するロックを行う。この場合、図７及び図８に示す窓部カバー５１ｃを開け、図６に示すロック操作治具Ａｃを操作窓部５１からキャビネットＭｃの内部に差し込むことにより、ロック部材２５の係合部２６（切欠凹部２６ｓ，２６ｓ）に係合させる。係合させたならロック操作治具Ａｃを回し操作する。ロック部材２５は係合ピン２３ｐに対して螺合しているため、ロック部材２５を回し操作し、ロック部材２５を規制部材３４側へ変位させるとともに、ロック部材２５の先端部２５ｃを規制部材３４に当接し、更に加圧すれば、可動支持盤部３を、固定支持盤部６に対して動かないようにロック（固定）することができる。ロック操作が終了したなら、ロック操作治具ＡｃをキャビネットＭｃから抜き出し、窓部カバー５１ｃを閉じればよい。なお、再調整を行う場合には、逆の手順、即ち、窓部カバー５１ｃを開き、ロック操作治具Ａｃによりロック部材２５をロック操作時に対して反対方向に回し操作し、ロック部材２５を規制部材３４から離間させることによりロック解除を行えばよい。
【００４７】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４８】
例えば、実施形態では、投射レンズＬを装着するレンズ装着盤部２を水平方向Ｆｈへ変位可能に支持する可動支持盤部３と、レンズ装着盤部２を水平方向Ｆｈへ移動させる水平移動機構部５と、可動支持盤部３を垂直方向Ｆｖへ変位可能に支持する固定支持盤部６と、可動支持盤部３を垂直方向Ｆｖへ移動させる垂直移動機構部４とを備えて構成した例を示したが、投射レンズＬを装着するレンズ装着盤部２を垂直方向Ｆｖへ変位可能に支持する可動支持盤部３と、レンズ装着盤部２を垂直方向Ｆｖへ移動させる垂直移動機構部４と、可動支持盤部３を水平方向Ｆｈへ変位可能に支持する固定支持盤部６と、可動支持盤部３を水平方向Ｆｈへ移動させる水平移動機構部５とを備えて構成してもよい。また、水平方向Ｆｈのレンズシフトと垂直方向Ｆｖのレンズシフトのいずれか一方のみを備える場合であってもよいし、双方を備える場合であってもよい。さらに、垂直移動機構部４及び水平移動機構部５は電動タイプを例示したが手動タイプも含む概念である。
【産業上の利用可能性】
【００４９】
本発明に係るレンズシフト装置は、レンズシフト機能が必要な各種プロジェクタに利用できるとともに、レンズシフト機能が必要な各種光学機器に応用できる。したがって、レンズユニットも、投射レンズのみならず各種レンズユニットが含まれる。
【符号の説明】
【００５０】
１：レンズシフト装置，２：レンズ装着盤部，３：可動支持盤部，４：垂直移動機構部，５：水平移動機構部，６：固定支持盤部，６ａ：基体盤部，６ｂ：断熱盤部，６ｃ：補強盤部，１６ｐ…：放熱フィン部，１７…：配線クリップ部，１８：配線，１９：シフトロック機構部，５２：空冷ファン，Ｆｗ…：送風，Ｌ：レンズユニット，Ｆｈ：水平方向，Ｆｖ：垂直方向，Ｍｐ：プロジェクタ
【図１】
0005838450.tif 000002
【図２】
0005838450.tif 000003
【図３】
0005838450.tif 000004
【図４】
0005838450.tif 000005
【図５】
0005838450.tif 000006
【図６】
0005838450.tif 000007
【図７】
0005838450.tif 000008
【図８】
0005838450.tif 000009